(57)【要約】【課題】簡易な構造で実現でき、製造コストを抑制できる可搬式洗髪器を提供することにある。【解決手段】本発明の可搬式洗髪器１０は、洗髪槽１１と、該洗髪槽を外面上に支持固定するとともに内部に備品を収容可能で、底部の一方側の外周部に少なくとも一つの車輪１２ｃを回転可能に軸支してなる容器１２と、該容器の外側面に設けられた支持取付部１７Ａ、１７Ｂと、該支持取付部に前記一方側が前方又は後方となる姿勢で支持される車椅子２０とを具備し、前記容器は、前記底部が接地した正立姿勢で自立し、前記底部が接地面より離間した傾斜姿勢で前記車輪により移動可能に構成され、前記車椅子は、前記支持取付部に支持された状態で、前記容器が前記傾斜姿勢にあるときに前記車椅子の少なくとも一つの車輪が前記容器の車輪とともに接地可能に構成されていることを特徴とする。【選択図】図６
2008253517.tif 000002
【特許請求の範囲】
【請求項１】
洗髪槽と、該洗髪槽を外面上に支持固定するとともに内部に備品を収容可能で、底部の一方側の外周部に少なくとも一つの車輪を回転可能に軸支してなる容器と、該容器の外側面に設けられた支持取付部と、該支持取付部に前記一方側が前方又は後方となる姿勢で支持される車椅子とを具備し、
前記容器は、前記底部が接地した正立姿勢で自立し、前記底部が接地面より離間した傾斜姿勢で前記車輪により移動可能に構成され、
前記車椅子は、前記支持取付部に支持された状態で、前記容器が前記傾斜姿勢にあるときに前記車椅子の少なくとも一つの車輪が前記容器の車輪とともに接地可能に構成されていることを特徴とする可搬式洗髪器。
【発明の詳細な説明】
【技術分野】
【０００１】
本発明は可搬式洗髪器に係り、特に、病院等において入院患者の洗髪作業を行うための洗髪器の構造に関する。
【背景技術】
【０００２】
一般に、病院や住宅で患者や要介護者の洗髪を行う場合には、病室や自宅に洗髪用の設備を搬送する必要があり、このために、洗髪槽と水タンク等の備品を、台車や車輪付き容器等に搭載してなる多数の可搬式洗髪器が知られている（たとえば、以下の特許文献１及び２参照）。また、上記のような可搬式洗髪器であって、ベッド上に横たわった患者等の頭部下に挿入可能な洗髪槽を備えたものも提案されている（たとえば、以下の特許文献３及び４参照）。
【特許文献１】特開２００１−９５６１９号公報
【特許文献２】特開２００４−７３３７５号公報
【特許文献３】実開平６−７６０４号公報
【特許文献４】実開平８−１０５０号公報
【発明の開示】
【発明が解決しようとする課題】
【０００３】
しかしながら、前述の可搬式洗髪器は、それぞれ複雑な構造を備えているために多数の専用部品を必要とすることから製造コストが増大するという問題点がある。また、いずれも現場においては既存のベッドや車椅子とともに用いるように構成されており、車椅子の配備されていない自宅や病室では可搬式洗髪器単独で洗髪を行うことができないという問題点がある。
【０００４】
そこで、本発明は上記問題点を解決するものであり、その課題は、簡易な構造で実現でき、製造コストを抑制できる可搬式洗髪器を提供することにある。
【課題を解決するための手段】
【０００５】
斯かる実情に鑑み、本発明の可搬式洗髪器は、洗髪槽と、該洗髪槽を外面上に支持固定するとともに内部に備品を収容可能で、底部の一方側の外周部に少なくとも一つの車輪を回転可能に軸支してなる容器と、該容器の外側面に設けられた支持取付部と、該支持取付部に前記一方側が前方又は後方となる姿勢で支持される車椅子とを具備し、前記容器は、前記底部が接地した正立姿勢で自立し、前記底部が接地面より離間した傾斜姿勢で前記車輪により移動可能に構成され、前記車椅子は、前記支持取付部に支持された状態で、前記容器が前記傾斜姿勢にあるときに前記車椅子の少なくとも一つの車輪が前記容器の車輪とともに接地可能に構成されていることを特徴とする。
【０００６】
この発明によれば、容器が正立姿勢にあるときには自立し、傾斜姿勢にあるときには容器に軸支された車輪によって移動可能に構成されるとともに、容器の外側面に設けられた支持取付部で車椅子を支持した状態で容器が上記傾斜姿勢にあるときに車椅子の少なくとも一つの車輪が接地可能に構成されていることにより、構造を簡易に構成できるとともに、洗髪槽を支持固定した容器と、この容器に取付けられた車椅子とを容易に移動させることが可能になる。
【０００７】
また、本明細書に記載された別の発明の可搬式洗髪器は、洗髪槽と、上部開口を備えた容器本体及び前記上部開口を開閉可能に構成された蓋体を備え、前記内部に備品を収容可能に構成された容器とを具備し、前記洗髪槽は、前記蓋体に対して、前記蓋体の外面上において前記蓋体に対して偏心した姿勢で回動可能に取付けられていることを特徴とする。ここで、洗髪槽は、前記蓋体の回動中心部に対する最遠位置にその導入部を向ける姿勢で前記蓋体に取り付けられていることが好ましい。
【発明を実施するための最良の形態】
【０００８】
［第１実施形態］
以下、本発明の実施の形態を図示例と共に説明する。図１〜図６は第１実施形態の可搬式洗髪器を説明する図面である。図１は可搬式洗髪器１０の側面図、図２は平面図、図３は正面図、別の状態の側面図である。
【０００９】
可搬式洗髪器１０は、洗髪槽１１と、この洗髪槽１１を外面上に取付けた容器１２とを具備する。洗髪槽１１は、容器１２の正面側側壁の外面上に取付けられている。洗髪槽１１は、容器１２に対して取付機構１３を介して取り付けられ、この取付機構１３は、洗髪槽１１を図１に示す水平姿勢と図４に示す格納姿勢（垂直姿勢）とに切り替え可能に構成されている。具体的には、容器に取付けられた取付機構１３は基板１１ａに取り付けられ、基板１１ａ上に支持板１１ｂが回動可能に取り付けられている。支持板１１ｂは洗髪槽本体１１ｃを支持固定している。洗髪槽本体１１ｃは図１に示す水平姿勢で保持固定され、この姿勢で洗髪作業が実施可能となるように構成されている。洗髪槽１１は図２に示すように少なくとも９０度、好ましくは、水平姿勢にある洗髪槽１１の導入部１１ｄが容器１２側に向く１８０度の範囲を除いた残り１８０度の範囲にわたり回動可能に構成される。
【００１０】
容器１２は、上部開口を備えた容器本体１２ａと、この容器本体１２ａの上部開口を開閉可能に構成された蓋体１２ｂと、容器本体１２ａの底部の一方側（後方側）に回転自在に取り付けられた（図示例では一対の）車輪１２ｃとを備えている。蓋体１２ａの前方部には開閉操作用の取っ手１２ｄが好ましくは一対設けられている。また、蓋体１２の一方側（後方側）には、移動時に把持するための把持部１２ｅが好ましくは一対設けられている。容器１２は図１に示すように底部が接地した正立状態では自立するように構成されている。ただし、図６に示すように容器１２を底部の一方側へ傾斜した傾斜姿勢にすれば、底部が接地面より離間して車輪１２ｃのみで支持された状態となり移動可能に構成される。
【００１１】
容器１２の内部には、使用前の水や湯を収容する供給タンク１４と、使用後の水や湯を収容する回収タンク１５とが配置される。供給タンク１４は容器内の上部に配置され、回収タンク１５は容器内の下部に配置されることが好ましい。供給タンク１４から導出される供給管１４ａは図２に示すように上記洗髪槽１１内に配置されたシャワーヘッド１４ｄに接続されている。シャワーヘッド１４ｄの基部は洗髪槽１１の槽壁を貫通して槽内に配置されている。また、回収タンク１５には、洗髪槽１１の排水口１１ｅに接続された回収管１５ａが接続されている。
【００１２】
供給タンク１４内には水を加熱して湯にするための加熱ヒータ１４ｂと、上記供給管１４ａに水や湯を送り込む供給ポンプ１４ｃとが配置されている。供給ポンプ１４ｃは容器１２の外面上に固定された操作スイッチ１６で稼動操作及び停止操作を行うことができるように構成されている。加熱ヒータ１４ｂは基本的に蓋体１２ｂを開けて操作するように構成されるが、上記操作スイッチ１６で操作可能に構成してもよい。
【００１３】
容器１２の外側面の下部位置には支持具取付部１７Ａが設けられ、この支持具取付部１７Ａには、容器１２の内部に収容された取付支持具１７Ｂが着脱可能に構成される。取付支持具１７Ｂは図３に示すように支持具取付部１７Ａに装着可能な装着部１７Ｂａと、水平に構成された支持部１７Ｂｂとを有し、図４に示すように支持具取付部１７Ａに装着部１７Ｂａを装着した状態で、支持部１７Ｂｂにより図５に示す車椅子２０を支持可能に構成される。ここで、上記支持具取付部１７Ａ及び取付支持具１７Ｂは上記の支持取付部を構成する。なお、洗髪時には取付支持具１７Ｂを取り外し、図１に点線で示すように容器１２内の保持具に取り付けて保管することができる。
【００１４】
図５に示すように、車椅子２０は幅方向に折り畳み可能に構成されたフレーム２１と、このフレーム２１に取付けられ、幅方向に折り畳み可能な座面及び背面を備えた着座部材２２と、一対の前方車輪２３、２３と、一対の後方車輪２４，２４とを備えた折り畳み式車椅子である。この車椅子２０は仰向け姿勢で洗髪を可能にするためにリクライニング可能に構成されたものであることが望ましい。
【００１５】
また、容器１２の外面には配線コード１８Ａが出没自在に設けられ、この配線コード１８Ａは容器本体１２ａの外面上に設けられたコンセント１８Ｂに導通している。この配線コード１８Ａは、上記加熱ヒータ１４ｂ及び供給ポンプ１４ｃに対しても操作スイッチ１６を介して若しくは直接に接続されている。さらに、容器本体１２ａの外面には、図３に示すように、支持部１９Ａが設けられ、この支持部１９Ａに対して携帯掃除機１９Ｂが着脱可能に取付けられている。
【００１６】
本実施形態では、移動時においては、図５に示すように、洗髪槽１１を容器１２側に回動させて垂直姿勢とし、上記取付支持具１７Ｂの支持部１７Ｂｂ上に折り畳んだフレーム２１を載置することで、車椅子２０を一体的に取付けることができるようになっている。図５に示す状態では、容器１２の底部が接地面に当接しており、自立可能な状態とされる。
【００１７】
一方、図６に示すように、たとえば把持部１２ｅを把持して容器１２を後方に傾斜させると、容器１２の底部は設置面より離間し、容器１２が車輪１２ｃのみで接地した状態になるとともに、側方に取付けた車椅子２０の後方車輪２４も接地した状態となる。この傾斜状態であれば、把持部１２ｅを前方若しくは後方へ引っ張ることで、可搬式洗髪器２０及び車椅子２０を一体的に移動させることができる。
【００１８】
本実施形態では、車椅子２０を可搬式洗髪器１０に搭載しても、容器１２の車輪１２ｃと車椅子２０の車輪２４が接地して移動可能となるので、洗髪に必要な物を全て一体的に搬送でき、しかも、女性等の小さな力でも極めて容易に搬送することができる。
【００１９】
［第２実施形態］
次に、図７乃至図９を参照して本発明に係る可搬式洗髪器３０について説明する。この可搬式洗髪器３０は、洗髪槽３１と、容器３２とを有し、洗髪槽３１は容器３２の蓋体３２ｂに対して蓋体３２上に配置される態様で取付けられている。容器３２は、上部開口を備えた容器本体３２ａと、上部開口を開閉可能に構成された蓋体３２ｂとを有し、その内部には、上記第１実施形態と同様の供給タンク３４及び回収タンク３５が収容される。
【００２０】
供給タンク３４には供給管３４ａが接続され、その先端にはシャワーヘッド３４ｄが取り付けられている。また、上記加熱ヒータ、供給ポンプ、操作スイッチなども第１実施形態と同様に設けることができる。一方、回収タンク３５には上記洗髪槽３１の排水口３１ｅに接続された（接続可能に構成された）回収管３５ａが接続されている。
【００２１】
洗髪槽３１は、蓋体３２ａ上において蓋体３２ａに対して偏心した姿勢で回動可能に取り付けられている。図示例の場合には、洗髪槽３１の排水口３１ｅを中心に蓋体３２に対して回動可能に軸支されている。洗髪槽３１の平面範囲の中心位置は、洗髪槽３１に対する蓋体３２の回動中心部に対して洗髪槽３１の導入部３１ａ（洗髪時に首を配置する部分）側にずれた位置に設定されているため、洗髪槽３１の回動如何によらず、導入部３１ａが常に上記回動中心部の最遠位置にあるように構成されている。これによって、導入部３１ａと容器３２との距離が十分に確保できるため、患者や要介護者の頭部を容易に洗髪槽３１内に配置できる。
【００２２】
また、洗髪槽３１に対する蓋体３２の回動中心部は蓋体３２の平面範囲の中心位置に設定されているため、洗髪槽３１の導入部３１ａを容器３２の周囲のいずれの方向に向けても使用することが可能である。ただし、最低限の構成としては、洗髪槽３１が図８に示すように所定（たとえば９０度）の角度範囲内において回動可能とされていればよい。また、この場合には当該回動角度範囲において容器３２に対して洗髪槽３１がその導入部３１ｄ側に偏心していればよい。
【００２３】
洗髪時においては、容器３２内から供給タンク３４を供給管３４ａ及びシャワーヘッド３４ｄとともに取り出し、これらを容器３２の傍らにおいて使用する。ここで、洗髪槽３１の槽内の内面上にはヘッド保持部３１ｆが設けられ、このヘッド保持部３１ｆにシャワーヘッド３４ｂのネック部を挿入することで、シャワーヘッド３４ｄを槽内に保持できるようになっている。
【００２４】
容器３２の外面上には面ファスナー３６が複数箇所固定され、この面ファスナー３６と着脱可能に構成された対応ファスナー面を有する洗髪カバー３７（図示一点鎖線）が容器３２の外面上に保持されるようになっている。この洗髪カバー３７は可撓性を有するシート部材で構成され、洗髪槽３１の外周部に設けられた保持具３１ｇに着脱可能に装着される被保持部を備えている。そして、図９に示すように、洗髪時において洗髪カバー３７を取り外して洗髪槽３１の外周縁に沿って配置し、その被保持部を保持具３１ｇに取り付けて洗髪槽３１に装着することで、洗髪時の水の飛散を防止することができる。
【００２５】
本実施形態では、図示しないリクライニング式車椅子等を用いて、図９に示すように、仰向け姿勢で洗髪することができる。ここで、容器３２の蓋体３２ｂ上に配置される洗髪槽３１の高さは、リクライニング式車椅子に座った人を後傾姿勢とした場合に適するように設定される。なお、洗髪槽３１及び蓋体３２を容器本体３２ａから取り外すことで、ベッドに横たわった人の頭部下に洗髪槽３１及び蓋体３２を挿入して用いることも可能である。
【００２６】
尚、本発明の可搬式洗髪器は、上述の図示例にのみ限定されるものではなく、本発明の要旨を逸脱しない範囲内において種々変更を加え得ることは勿論である。たとえば、上記第１実施形態の容器１２の構成（車輪１２ｃなど）、及び／又は、容器１２と車椅子２０の支持に関する構成を第２実施形態の容器３２に採用してもよい。また、上記第２実施形態の洗髪槽３１、容器３２及び洗髪カバー３７の構成及びそれらの取り付け構造に関する構成を第１実施形態の洗髪槽１１及び容器１２に採用しても構わない。
【図面の簡単な説明】
【００２７】
【図１】第１実施形態の側面図。
【図２】第１実施形態の平面図。
【図３】第１実施形態の正面図。
【図４】第１実施形態の異なる態様を示す側面図。
【図５】第１実施形態の車椅子を搭載した様子を示す側面図。
【図６】第１実施形態の車椅子を搭載して移動する様子を示す側面図。
【図７】第２実施形態の側面図。
【図８】第２実施形態の平面図。
【図９】第２実施形態の洗髪時の様子を示す側面図。
【符号の説明】
【００２８】
１０、２０…可搬式洗髪器、１１、３１…洗髪槽、１２、３２…容器、１２ａ，３２ａ…容器本体、１２ｂ，３２ｂ…蓋体、１２ｃ…車輪、１３…取り付け機構、１４…供給タンク、１５…回収タンク、１６…操作スイッチ、１７Ａ…支持具取付部、１７Ｂ…取付支持具、３１ｇ…保持具、３６…面ファスナー、３７…洗髪カバー
【図１】
2008253517.tif 000003
【図２】
2008253517.tif 000004
【図３】
2008253517.tif 000005
【図４】
2008253517.tif 000006
【図５】
2008253517.tif 000007
【図６】
2008253517.tif 000008
【図７】
2008253517.tif 000009
【図８】
2008253517.tif 000010
【図９】
2008253517.tif 000011